(57)【要約】【課題】内容物を詰め替え又は補充することができる容器を提供すること。【解決手段】内容物を詰め替え又は補充可能な容器であって、前記内容物を保持する本体部と、前記本体部に保持された前記内容物を外部に流出する第１の開口と、前記内容物の詰め替え時又は補充時に前記本体部に該内容物を供給する第２の開口とを有し、前記第２の開口は、前記第１の開口の近傍に配置されている、ことを特徴とする。【選択図】図１
2016147684.tif 000002
【特許請求の範囲】
【請求項１】
内容物を詰め替え又は補充可能な容器であって、
前記内容物を保持する本体部と、
前記本体部に保持された前記内容物を外部に流出する第１の開口と、
前記内容物の詰め替え時又は補充時に前記本体部に該内容物を供給する第２の開口と
を有し、
前記第２の開口は、前記第１の開口の近傍に配置されている、
ことを特徴とする容器。
【請求項２】
前記第２の開口は、前記内容物を流入される略円筒形状の供給口と、前記供給口を封鎖するクラウン形状のキャップとを更に有し、
前記第２の開口は、前記内容物の詰め替え時又は補充時に前記キャップを離反される、
ことを特徴とする、請求項１に記載の容器。
【請求項３】
前記本体部と前記第１の開口とは、一体的に成形されている、ことを特徴とする、請求項１又は請求項２に記載の容器。
【発明の詳細な説明】
【技術分野】
【０００１】
本発明は、容器に関する。本発明は、特に内容物を詰め替え又は補充可能な容器に関する。
【背景技術】
【０００２】
特許文献１では、スプレー容器の頂部に被装されるキャップ本体であって、該キャップ本体には、ヒンジ部を介して内側に開く開閉扉を破断可能な脆弱部を介して設け、前記開閉扉は、前記脆弱部を破断して内側に開き、前記スプレー容器のバルブを開閉する操作部材上に位置するように形成してなることを特徴とするスプレー容器のガス抜き機能付キャップに関する技術を開示している。特許文献２では、液体を収納する容器本体と、この容器本体に収納された液体を噴出するスプレーヘッドと、このスプレーヘッドに一端部が配設され、他端部が前記容器本体の内部に挿入された吸上管とを備え、前記容器本体は、内部に収納される液体の体積変化に応じて、容量が変化するように変形可能とされたことを特徴とするスプレー容器に関する技術を開示している。
【先行技術文献】
【特許文献】
【０００３】
【特許文献１】特開２００７−３１４２２８号公報
【特許文献２】特開２０１２−１６６７９２号公報
【発明の概要】
【発明が解決しようとする課題】
【０００４】
しかしながら、特許文献１及び特許文献２に開示されている技術では、内容物が減ったときに、内容物を詰め替え又は補充することができない場合がある。また、特許文献１及び特許文献２に開示されている技術では、スプレー軸（スプレーホースなど）を取り外して、且つ、その内容物が付着したスプレー軸を置き、その後、内容物を補充する必要がある。更に、特許文献１及び特許文献２には、スプレーヘッドとスプレー容器（本体）が一体に成形された場合に、内容物を詰め替え又は補充する方法が記載されていない。
【０００５】
本発明は、内容物を詰め替え又は補充可能な容器を提供することを目的とする。
【課題を解決するための手段】
【０００６】
上記課題を解決するために、本発明の一つの実施形態は、内容物を詰め替え又は補充可能な容器であって、前記内容物を保持する本体部と、前記本体部に保持された前記内容物を外部に流出する第１の開口と、前記内容物の詰め替え時又は補充時に前記本体部に該内容物を供給する第２の開口とを有し、前記第２の開口は、前記第１の開口の近傍に配置されている、ことを特徴とする容器を提供する。また、前記第２の開口は、前記内容物を流入される略円筒形状の供給口と、前記供給口を封鎖するクラウン形状のキャップとを更に有し、前記第２の開口は、前記内容物の詰め替え時又は補充時に前記キャップを離反される、ことを特徴とする容器であってもよい。また、前記本体部と前記第１の開口とは、一体的に成形されている、ことを特徴とする容器であってもよい。
【発明の効果】
【０００７】
本発明に係る容器によれば、内容物を詰め替え又は補充することができる。また、本発明に係る容器によれば、第２の開口を用いて、内容物を容易に詰め替え又は補充することができる。
【図面の簡単な説明】
【０００８】
【図１】本発明の実施形態に係る容器の一例を示す概略構成図である。
【図２】本発明の実施形態に係る容器のキャップの一例を説明する説明図である。
【図３】本発明の実施形態に係る容器（第２の開口のキャップ）の一例を説明する拡大図である。
【図４】本発明の実施例に係る容器の他の例を示す説明図である。
【図５】本発明の実施例に係る容器の他の例を示す説明図である。
【図６】本発明の実施例に係る容器の他の例を示す説明図である。
【発明を実施するための形態】
【０００９】
実施形態及び実施例に係る容器の例を用いて、本発明を説明する。なお、本発明は、以後に説明する容器以外でも、２つの開口（液体の流出入口）を用いて内容物を流出入（噴出、詰め替え、補充など）するもの（容器、装置、機械、部品、システム、アプリケーションなど）であれば、いずれのものにも用いることができる。なお、内容物は、その液体の種類や物性を限定されるものではない。
【００１０】
下記に、本発明に係る容器の各構成を説明する。
【００１１】
図１乃至図３を用いて、本発明の実施形態に係る容器の構成を説明する。ここで、図１は、本発明の実施形態に係る容器の一例を示す概略構成図である。図２は、本発明の実施形態に係る容器のキャップの一例を説明する説明図である。図３は、本発明の実施形態に係る容器（第２の開口のキャップ）の一例を説明する拡大図である。なお、図１乃至図３に示す容器の構成等は一例であり、本発明は図１等に示す容器等に限定されるものではない。
【００１２】
図１に示すように、容器１００は、内容物を保持する本体部１０と、内容物を外部に流出する第１の開口１１と、本体部１０に内容物を供給する第２の開口１２とを有する。本発明に係る容器１００は、内容物を詰め替え又は補充可能な容器である。また、図１に示すように、本実施形態では、第２の開口１２は、第１の開口１１の近傍に配置されている。なお、本体部１０と第１の開口１１とは、一体的に成形されていてもよい。
【００１３】
本発明に係る容器１００は、第１の開口１１を用いて本体部１０に保持された内容物を外部に流出し、第２の開口１２を用いて内容物の詰め替え時又は補充時に本体部１０に内容物を供給する。これにより、本発明に係る容器１００によれば、第２の開口１２を用いて、内容物を容易に詰め替え又は補充することができる。また、本発明に係る容器１００によれば、本体部１０と第１の開口１１とが一体的に成形されている場合でも、第２の開口１２を用いて、内容物を容易に詰め替え又は補充することができる。
【００１４】
図２及び図３に示すように、第２の開口１２は、本実施形態では、内容物を流入される略円筒形状の供給口１２ｂと、供給口１２ｂを封鎖するクラウン形状のキャップ１２ａとを備える。第２の開口１２は、内容物の詰め替え時又は補充時にキャップ１２ａを離反される。キャップ１２ａは、本実施形態では、その内壁に螺旋状の凹部を有し、供給口１２ｂの外形の螺旋状の凸部と嵌合して取り付けられる。これにより、本発明に係る第２の開口１２は、供給口１２ｂを密封することができる。なお、キャップ１２ａを供給口１２ｂに取り付ける方法は上記の方法に限定されるものではない。
【００１５】
本発明に係る容器によれば、第２の開口を用いて、内容物を容易に詰め替え又は補充することができる。容器は内容液を補充する時に内容液が付着したスプレー軸を何処かに置き、置いた場所を汚すという場合があったが、本発明に係る容器によれば、第２の開口を用いて、手を汚すことも無く、簡単に内容液を補充することができる。本発明に係る容器によれば、危険な液体を内容物とする場合に特に利点がある。 また、本発明に係る容器によれば、シャンプーや洗剤などの販売に際して、内容液のみを簡易なパックなどで販売することができる。また、本発明に係る容器によれば、残りの液体を無駄にすることなく、最後まで使える。また、本発明に係る容器によれば、第２の開口を用いて内容物を容易に詰め替え又は補充することができるので、第１の開口（スプレーの構造）を簡略化することができ、本体部と第１の開口とを一体的に成形することができる。
【実施例】
【００１６】
実施例に係る容器を用いて、本発明を説明する。なお、本発明は、以後に説明する容器以外でも、２つの開口（液体の流出入口）を用いて内容物を流出入（噴出、詰め替え、補充など）するもの（容器、装置、機械、部品、システム、アプリケーションなど）であれば、いずれのものにも用いることができる。
【００１７】
図４乃至図６を用いて、本発明の実施例に係る容器を説明する。ここで、図４乃至図６は、本発明の実施例に係る容器の例を示す説明図である。なお、図４等に示す容器等は一例であり、本発明は図４等に示す容器等に限定されるものではない。
【００１８】
図４（ａ）に示すように、本実施例に係る容器１００Ａは、第１の開口の近傍に第２の開口１２を配置している。ここで、第２の開口１２は、キャップ１２ａを有する。また、図４（ｂ）に示すように、本実施例に係る容器１００Ａの第２の開口１２は、キャップ１２ａ（図４（ａ））を取り外して、供給口１２ｂを露出している。このとき、本実施例に係る容器１００Ａは、供給口１２ｂ（第２の開口１２）を用いて、内容物を補充することができる。これにより、本実施例に係る容器１００Ａは、実施形態に係る容器１００と同様に効果を得ることができる。
【００１９】
図５に示すように、本実施例に係る容器１００Ｂは、第１の開口の近傍に第２の開口１２を配置している。ここで、第２の開口１２は、キャップ１２ａを有する。これにより、本実施例に係る容器１００Ｂは、実施形態に係る容器１００と同様に効果を得ることができる。
【００２０】
図６に示すように、本実施例に係る容器１００Ｃの第２の開口１２は、キャップ１２ａを取り外して、供給口１２ｂを露出している。このとき、本実施例に係る容器１００Ｃは、供給口１２ｂ（第２の開口１２）を用いて、内容物を補充することができる。これにより、本実施例に係る容器１００Ｃは、実施形態に係る容器１００と同様に効果を得ることができる。
【００２１】
以上のとおり、本発明に係る実施形態及び実施例について説明したが、本発明は上記の実施形態及び実施例に限定されるものではない。すなわち、本発明は、特許請求の範囲に記載の内容に基づいて、様々に変形、変更又はその他任意に改変され得る。
【符号の説明】
【００２２】
１００，１００Ａ，１００Ｂ，１００Ｃ  ：  容器
１０  ：  本体部
１１  ：  第１の開口
１１ａ：  ベースキャップ
１２  ：  第２の開口
１２ａ：  キャップ
１２ｂ：  供給口
Ｒａ：  拡大図の領域
【図１】
2016147684.tif 000003
【図２】
2016147684.tif 000004
【図３】
2016147684.tif 000005
【図４】
2016147684.tif 000006
【図５】
2016147684.tif 000007
【図６】
2016147684.tif 000008